(57)【特許請求の範囲】
【請求項１】
丸巻き可能な細長扁平合成樹脂製の面戸支持テープを鼻桟前面に固定する行程と、基底部に差込片が下向きに突設形成された面戸の背高部を瓦の盛上り部下面に位置合わせする行程と、面戸の差込片を面戸支持テープと鼻桟間に挿入固定する行程との結合からなること、を特徴とする面戸施工方法。
【請求項２】
鼻桟を覆う程度の幅をもち、丸巻き可能の細長扁平合成樹脂材からなるテープであって、該テープの少なくとも１面以上に、長手に沿って係止突条が形成され、使用時に鼻桟に横長に釘打ち固定されたとき、鼻桟とテープの間に、面戸下部を把持することを特徴とする面戸支持テープ。
【請求項３】
前記面戸支持テープにおいて、広面を鉛直とした時の上端縁部を外向きに傾斜させた傾斜部が形成されていること、を特徴とする請求項２記載の面戸支持テープ。
【請求項４】
鼻桟を覆う程度の幅をもち、丸巻可能の細長合成樹脂材からなるテープであって、該テープの表裏面に長手に沿って係止突条が形成されていて、該テープの広面を鉛直とした時の上端縁部を外向きに傾斜させた傾斜部と、下端縁部を内向きに傾斜させた傾斜部、とが対称に形成されていること、を特徴とする面戸支持テープ。
【発明の詳細な説明】
【０００１】
【発明の属する技術分野】
この発明は面戸施工方法並びに面戸支持テープに係り、特に面戸の長さ調節が不用で、迅速に面戸を装着施行することのできる面戸施工方法と、該方法に使用する面戸支持テープに関する。
【０００２】
【従来の技術】
従来プラスチツクの面戸を鼻端に装着施行する場合には、面戸を支持するためのレールを鼻棧に固定して、該レールの嵌装溝に面戸を並立させている。
【０００３】
【発明が解決しようとする課題】
前記のようなプラスチックのレールを使用する場合には、作業性の問題から例えば約１メートルのレールが好ましく、長いものは使用されていない。また例えば約１メートルのレールに４枚の面戸を並べて装着するのが普通であるが、面戸の長さが１定なので、瓦を葺く場合重なりを多くしたり小さくしたりすることから、瓦を葺く度に未使用の面戸をレール上を摺動させながら位置決めをしている。ところがレール溝幅が狭いと面戸の滑りが悪くて位置決めに時間を要し、またレール溝幅が広いと面戸が滑りすぎてしまうなど、施工上での難点があった。この発明はそれらの実状に鑑みて、レールのいらない、位置合わせの簡単な面戸施工方法と、該方法に使用する面戸支持テープを提供することを目的として開発されたものである。
【０００４】
【課題を解決するための手段】
この発明は前記課題を解決するために、次のような技術的な手段を講じた。
【０００５】
Ａ  丸巻き可能な細長扁平合成樹脂製の面戸支持テープを鼻桟前面に固定する行程と、基底部に差込片が下向きに突設形成された面戸の背高部を瓦の盛上り部下面に位置合わせする行程と、面戸の差込片を面戸支持テープと鼻桟間に挿入固定する行程との結合からなる面戸施工方法。
【０００６】
Ｂ  鼻桟を覆う程度の幅をもち、丸巻き可能の細長扁平合成樹脂材からなるテープであって、該テープの少なくとも１面以上に、長手に沿って係止突条が形成され、使用時に鼻桟に横長に釘打ち固定されたとき、鼻桟とテープの間に、面戸下部を把持する面戸支持テープ。
【０００７】
Ｃ．前記係止突条がテープの両面において長手に沿って形成されている面戸支持テープ。
【０００８】
【作用】
上記のように構成されたこの発明によれば、次のような作用を有している。すなわち面戸支持テープは薄いテープであるから、丸く重ね巻をすることができて、その長さも例えば１巻１０メートル、２０メートルのようにすることができる。従って、軒における鼻棧の長さが９メートルであれば、この９メートルの鼻棧に一気に面戸支持テープを一定間隔の釘打ち等により固定することができる。しかる後、鼻棧の上に唐草瓦を葺くについて面戸の位置決めをして面戸の差込片を鼻棧と面戸支持テープの間に挿入させれば、鼻棧と面戸支持テープの圧接により差込片が固定されて面戸が特定位置に装着施工される。従って、あとは面戸を鼻棧と面戸支持テープの間に挿入させるだけなので装着施工の手間がかからない。
【０００９】
【発明の実施の形態】
この発明の実施の形態例を図面を参照して説明する。図１は第１実施例を示す面戸支持テープの斜視図で、図２は面戸の正面図、図３は実施の状態を示す側面図である。面戸支持テープ１は合成樹脂、例えば硬質塩化ビニール樹脂の押出し成型による、厚さ１ミリ前後のテープで、柔軟性があるので芯体４の外周に重ね丸巻をすることができる。該面戸支持テープ１の広面１Ａには図中の高さ方向に複数（図では２条）の係止突条２，２が１体に形成されている。また面戸支持テープ１の広面１Ａ高さ方向の１端縁部には、テープ１の広面１Ａに対して外方向にやや反った傾斜部３が形成されている。
【００１０】
前記面戸５は押出し成型後型抜きした平板状の硬質合成樹脂材製で、正面において基端部５Ａは水平で上部は略かまぼこ状に背部５Ｂが盛りあがっている。唐草瓦９の幅は３０センチ前後であるが、面戸５はその全域を閉塞する必要はなく、瓦の重ね合わせ部分の瓦の盛り上がり部分の下に空洞が生じるので、そこを閉塞するに足る長さと背高があればよい。従って前記基端部５Ａの長さは例えば１０センチ前後である。該面戸５の基端部５Ａにおいて左右長さの中間部に幅１５ミリ前後、高さ２０ミリ前後の差込片６が一体に形成されている。該差込片６の少なくとも一面には前記面戸支持テープ１の広面１Ａに形成された係止突条２，２と係合可能なように係止突条７，７が突設されている。
【００１１】
上記のように構成されたこの面戸支持テープ１と面戸５は図３に示すように使用される。すなわち、鼻棧８の前面に面戸支持テープ１の広面１Ａを前後にして、鼻棧８の長手に沿って一定間隔置きに釘或いは［状止針１０で面戸支持テープ１を固定する。鼻棧８の長さが１０メートルとかそれ以上の場合、従来のレールでは何本も繋ぎ合わせて継ぎ目を合わせる手間が必要であったが、この発明においては、面戸支持テープ１は長尺物が丸巻になっているので、鼻棧８の長さが長くても面戸支持テープ１を一気に固定させることができる。しかる後、面戸支持テープ１と鼻棧８の間に面戸５の差込片６を挿入させると、前記差込片６の係止突条７，７と面戸支持テープ１の係止突条２，２が係合するので、面戸５は抜けにくくなり固定される。この場合、面戸支持テープ１は鼻棧８に密接しているので面戸支持テープ１と鼻棧８の間に差込片６を挿込むことは困難であるが、前記したように、面戸支持テープ１の高さの１端縁部に傾斜部３が外反りに形成されているので、容易に挿入させることができる。図４は略示的正面図で、唐草瓦９を鼻棧８の上に位置決めすると次の唐草瓦９を葺く位置が定まるので、次の面戸５の設定位置が決まり、差込片６を面戸支持テープ１の裏に差し込むとすぐに唐草瓦９を鼻棧８の上に葺くことができる。
【００１２】
図５は面戸支持テープ１の第２実施形態を示す。この面戸支持テープ１は広面１Ａの表裏に係止突条２，２を対称に形成したことと、傾斜部３，３を面戸支持テープ１の上下端縁部に設定した点に特徴がある。その余は前例と同じである。この構成からなる特徴は表裏がなくなったので、面戸支持テープ１を鼻棧８に固定するときに表裏をわざわざ確かめなくてもそのまま施工することができ、また薄暗い場所でも表裏を気にしなくてもよいという効果がある。
【００１３】
図６は面戸５の差込片６を直角に曲げた形態例を示す側面図である。この場合には、前記面戸支持テープ１は鼻棧８の上面に固定することになる。なお、本願発明は前記形態例に限定されるものではなく、素材も任意であり、２つの素材を併用、例えば面戸支持テープ１の主部分よりも係止突条２部分に硬質の合成樹脂材を使用することができる。
【００１４】
【発明の効果】
以上のように構成されたこの発明は次のようなすぐれた効果を有している。
【００１５】
Ａ．  面戸支持テープ１は丸巻が出来るテープであるので、１０メートルとか２０メートルという長いものにすることができ、それでいて嵩は小さいので運搬、屋根の上での取扱が容易であるという効果がある。
【００１６】
Ｂ．  面戸支持テープ１は長尺物を丸巻にしたテープであるので、鼻棧の長さが１０メートルとか２０メートルという長いものであっても、継ぎ足しをしたり継ぎ目を合わせたりする手間がかからずに、一気に鼻棧に固定させることができる効果がある。
【００１７】
Ｃ．  表裏を対称に形成した面戸支持テープ１は、施工時に表裏を確認する手間が不用で、暗い場所でも表裏を見違えることがないという効果がある。
【００１８】
Ｄ．  面戸は、面戸支持テープ１と鼻棧との間に差込片を差し込むだけで固定させることができるので、唐草瓦の葺き合わせ位置が変化しても、面戸の設定位置決めと設定が容易で、作業性にすぐれているという効果がある。
【図面の簡単な説明】
【図１】面戸支持テープの斜視図である。
【図２】面戸の正面図である。
【図３】面戸支持テープの使用状態を示す側面図である。
【図４】面戸支持テープの使用状態を示す正面図である。
【図５】面戸支持テープの第２実施例を示す断面図である。
【図６】面戸の第２実施例を示す側面図である。
【符号の説明】
１              面戸支持テープ
１Ａ            広面
２              係止突条
３              傾斜部
４              芯体
５              面戸
５Ａ            基部
５Ｂ            背高部
６              差込片
７              係止突条
８              鼻棧
９              唐草瓦
１０            釘針
【図１】
0003731143.tif 000002
【図２】
0003731143.tif 000003
【図３】
0003731143.tif 000004
【図４】
0003731143.tif 000005
【図５】
0003731143.tif 000006
【図６】
0003731143.tif 000007